(57)【要約】      （修正有）【課題】スマートフォンその他の携帯情報端末に装着し、携帯情報端末を片手で安定的に保持できる携帯情報端末保持具を提供する。【解決手段】携帯情報端末Ｋの背面に貼りつける接着部を裏面に有すると共に上面に長孔または溝からなるガイド部１１を備えた楕円または帯形状の下部材１と、下部材１の上に設けられ、下部材１と接する面に、ガイド部１１に挿入された状態でガイド部１１に沿って移動可能な位置調整具を備えた上部材２と、からなることを特徴とする携帯情報端末保持具１００を提供する。【選択図】図１６
0003210687.tif 000002
【実用新案登録請求の範囲】
【請求項１】
長方形または楕円形状であって、携帯情報端末の背面に貼りつける接着部を裏面に有すると共に上面に長孔または溝からなるガイド部を備えた下部材と、
前記下部材と略同じ形状であって、前記下部材の上に設けられ、前記下部材と接する面に前記ガイド部に沿って移動可能な位置調整具を備えた上部材と、
からなることを特徴とする携帯情報端末保持具。
【請求項２】
前記ガイド部には、少なくとも２か所以上、前記位置調整具を所定位置で係止する係止部が設けられていることを特徴とする請求項１に記載の携帯情報端末保持具。
【請求項３】
前記上部材は、シリコン素材からなることを特徴とする請求項１または請求項２に記載の携帯情報端末保持具。
【考案の詳細な説明】
【技術分野】
【０００１】
本考案は、スマートフォンその他の携帯情報端末の背面に装着することで、携帯情報端末を片手で安定的に保持でき落下を防止できる携帯情報端末保持具に関する。
【背景技術】
【０００２】
スマートフォンやタブレット等の携帯情報端末は、外出先で必要な情報をすばやく取得することができ、また、電話連絡やメール連絡を取るため、外出時も常時持ち歩くことが多い。しかし、戸外で携帯情報端末を使用する場面が多いと、手が滑って、落下させてしまう事故も起こりやすい。携帯情報端末は精密機械であるため、戸外で、硬い地面に落下させてしまった時のダメージは大きい。
【０００３】
そこで、スマートフォンその他の携帯情報端末を、取り落とさないよう、様々な保護具が考案されている。特許文献１のスマホ・ワンハンドラーは、携帯情報端末に、リング状の固定装置を取り付けて、指をリングに通したうえで手で保持するようにして、手から滑り落ちる事故を防止する。また、特許文献２のスマートフォン落下防止バンドのように、スマートフォンに、環状のバンドを装着して、手を通して使用するものもある。
【０００４】
しかし、特許文献１も特許文献２も、携帯情報端末を使用時は、手にしっかり固定できるが、携帯情報端末を使用しない場合は、鞄やポケットに収納する際に、リングやバンドが邪魔になることがある。また、リングやバンドは、携帯情報端末を手に持って使用する際は、大変に便利であるが、スマートホンやタブレット等の携帯情報端末は、手に持たずに、机や床などに載置して使用するほうが便利な場面もあり、机や床に置いた際に、リングやバンドが邪魔になってしまうことも多い。
【特許文献１】実用新案登録第３１７８１７３号
【特許文献２】実用新案登録第３１７７６４７号
【考案の概要】
【考案が解決しようとする課題】
【０００５】
本考案の目的は、スマートフォンその他の携帯情報端末の背面に装着することで、携帯情報端末を片手で安定的に保持でき落下を防止できるとともに、手に持たず平らな面に載置して立てかけて使用することもできる携帯情報端末保持具を提供することにある。
【課題を解決するための手段】
【０００６】
本考案の携帯情報端末保持具は、長方形または楕円形状であって、携帯情報端末の背面に貼りつける接着部を裏面に有すると共に上面に長孔または溝からなるガイド部を備えた下部材と、前記下部材と略同じ形状であって、前記下部材の上に設けられ、前記下部材と接する面に前記ガイド部に沿って移動可能な位置調整具を備えた上部材と、からなることを特徴とする。
【０００７】
この考案によれば、携帯情報端末の背面に装着することで携帯情報端末を片手で安定的に保持することができる。また、携帯情報端末を使用する際は、上部材をスライドさせてアーチ形状にしたうえで、アーチの中に指を挿入できる形状とするが、携帯情報端末を使用しないときは、上部材を元に戻し、下部材の上に重ねておくようにすれば薄くコンパクトな形状になるため、携帯情報端末を鞄や服のポケットに入れて運搬する際に、邪魔にならない。
【０００８】
また、本考案の携帯情報端末保持具の前記ガイド部には、少なくとも２か所以上、前記位置調整具を所定位置で係止する係止部が設けられていることを特徴とする。
【０００９】
この考案によれば、携帯情報端末のガイド部に、少なくとも２か所以上、前記位置調整具を所定位置で係止する係止部が設けられていることで、前記係止部のところで上部材に設けられた位置調整具が係止され、上部材のアーチ形状の大きさを調整することができる。したがって、使用者の指の太さ、手の大きさにあわせた携帯情報端末を提供することができる。
【００１０】
また、本考案の携帯情報端末保持具の上部材は、シリコン素材からなることを特徴とする。
【００１１】
この考案によれば、上部材が弾力性あるシリコン素材であることによって、指で軽く押すだけで、上部材がガイド部に沿って移動し、適度な大きさのアーチ形状を簡単に作成することができる。携帯情報端末を使用する際は、上部材を指でスライドさせて上部部材をアーチ形状にして、中に指を挿入して携帯条坊端末を保持すると、片手でも、安定的に携帯条坊端末を保持することができる。
【図面の簡単な説明】
【００１２】
【図１】本考案の実施の形態１にかかる携帯情報端末保持具１００の斜視図である。
【図２】図１に示した携帯情報端末保持具１００の右側面図である。
【図３】図１に示した携帯情報端末保持具１００の上面図である。
【図４】図１に示した携帯情報端末保持具１００の底面図である。
【図５】図１に示した携帯情報端末保持具１００のの構造を説明するための上部材と下部材それぞれの参考上面図である。
【図６】図１に示した携帯情報端末保持具１００の構造を説明するための上部材と下部材それぞれの参考右側面図である。
【図７】図１に示した携帯情報端末保持具１００の下部材の構造を説明するための下部材と接着部それぞれの参考底面図である。
【図８】（ａ）は、図１に示した携帯情報端末保持具１００の右側面図であって、（ｂ）は、上部材をスライドさせた状態を示す右側面図である。
【図９】図１に示した携帯情報端末保持具１００の下部材の上面図である。
【図１０】図１に示した携帯情報端末保持具１００の下部材の接着部を除いた状態での底面図である。
【図１１】（ａ）は、図１０に示した携帯情報端末保持具１００の下部材の接着部を除いた状態でのＡ−Ａ断面図であって、（ｂ）は、Ｂ−Ｂ断面図であって、（ｃ）は、右側面図であって、（ｄ）は、Ｃ−Ｃ断面図である。
【図１２】（ａ）は、図１に示した携帯情報端末保持具１００の下部材の接着部の底面図であって、（ｂ）は、上面図である。
【図１３】（ａ）は、図１に示した携帯情報端末保持具１００の上部材をスライドさせた状態を示す斜視図であって、（ｂ）は、図１３（ａ）のＤ−Ｄ断面図である。
【図１４】図１に示した携帯情報端末１００を、携帯情報端末（スマートフォン）に装着した状態を示す参考上面図である。
【図１５】図１に示した携帯情報端末１００を、携帯情報端末（スマートフォン）に装着して上部材をスライドさせた状態を示す参考上面図である。
【図１６】図１に示した携帯情報端末１００を、携帯情報端末（スマートフォン）に装着して上部材をスライドさせた状態を示す参考斜視図である。
【図１７】図１に示した携帯情報端末１００の使用方法を説明するための参考斜視図である。
【図１８】図１に示した携帯情報端末１００の使用方法を説明するための参考斜視図である。
【図１９】図１に示した携帯情報端末１００の使用方法を説明するための参考図である。
【図２０】図１に示した携帯情報端末１００の使用方法を説明するための参考図である。
【図２１】図１に示した携帯情報端末１００の使用方法を説明するための参考図である。
【図２２】本考案の実施の形態２にかかる携帯情報端末保持具２００の斜視図である。
【図２３】図２２に示した携帯情報端末保持具２００の右側面図である。
【図２４】図２２に示した携帯情報端末保持具２００の上面図である。
【図２５】図２２に示した携帯情報端末保持具２００の底面図である。
【図２６】図２２に示した携帯情報端末保持具２００のの構造を説明するための上部材と下部材それぞれの参考上面図である。
【図２７】図２２に示した携帯情報端末保持具２００の構造を説明するための上部材と下部材それぞれの参考右側面図である。
【図２８】図２２に示した携帯情報端末保持具２００の下部材の構造を説明するための下部材と接着部それぞれの参考底面図である。
【図２９】（ａ）は、図２２に示した携帯情報端末保持具２００の右側面図であって、（ｂ）は、上部材をスライドさせた状態を示す右側面図である。
【図３０】図２２に示した携帯情報端末保持具２００の下部材の上面図である。
【図３１】図２２に示した携帯情報端末保持具２００の下部材の接着部を除いた状態での底面図である。
【図３２】（ａ）は、図１０に示した携帯情報端末保持具２００の下部材の接着部を除いた状態でのＥ−Ｅ断面図であって、（ｂ）は、Ｆ−Ｆ断面図であって、（ｃ）は、右側面図であって、（ｄ）は、Ｇ−Ｇ断面図である。
【図３３】（ａ）は、図２２に示した携帯情報端末保持具２００の下部材の接着部の底面図であって、（ｂ）は、上面図である。
【図３４】（ａ）は、図２２に示した携帯情報端末保持具２００の上部材をスライドさせた状態を示す斜視図であって、（ｂ）は、図３４（ａ）のＨ−Ｈ断面図である。
【図３５】図２２に示した携帯情報端末保持具２００を、携帯情報端末（スマートフォン）に装着した状態を示す参考上面図である。
【図３６】図２２に示した携帯情報端末２００を、携帯情報端末（スマートフォン）に装着して上部材をスライドさせた状態を示す参考上面図である。
【図３７】図２２に示した携帯情報端末２００を、携帯情報端末（スマートフォン）に装着して上部材をスライドさせた状態を示す参考斜視図である。
【図３８】図２２に示した携帯情報端末２００の使用方法を説明するための参考斜視図である。
【図３９】図２２に示した携帯情報端末２００の使用方法を説明するための参考斜視図である。
【図４０】図２２に示した携帯情報端末２００の使用方法を説明するための参考図である。
【図４１】図２２に示した携帯情報端末２００の使用方法を説明するための参考図である。
【図４２】図２２に示した携帯情報端末２００の使用方法を説明するための参考図である。
【考案を実施するための形態】
【００１３】
（実施の形態１）
以下、図１から図６を参照し、実施の形態１にかかる携帯情報端末保持具１００の形態について説明する。
【００１４】
図１は、本考案の実施の形態１にかかる携帯情報端末保持具１００の斜視図である。図２は、図１に示した携帯情報端末保持具１００の右側面図である。図３は、図１に示した携帯情報端末保持具１００の上面図である。図４は、図１に示した携帯情報端末保持具１００の底面図である。
【００１５】
図１に示すように、本考案の実施の形態１の形態情報端末保持具１００は、横長の楕円形状の上部材２の下側に、上部材２と略同じ形状の下部材１が設けられている。携帯情報端末１００を、側面から見ると、図２に示すように、上部材２の下に下部材１が設けられ、下部材１の下には接着部１３が設けられている。下部材１の厚みは、上部材２と略同じか、すこし厚みがある。上部材１と下部材２は、どちらも、数ミリメートルの厚さであり、下部材２のほうが、上部材１よりも、すこし厚くなっている。上部材１と下部材２は、同じ厚さとしてもよい。右側面視、上部材１は、厚みが０．５ミリメートルから１．５ミリメートルの間であり、下部材２は、上部材１の厚みの１倍から２倍となっている。図２に示すように、上部材２は、上から見ると、横長の楕円形状である。上部材２は、角の丸い長方形や、帯形状としても良い。上部材２はシリコン素材その他の弾性を有する素材からなる。
【００１６】
携帯情報端末保持具１００は、底面側から見ると、図４に示すように下部材１の上に接着部１３が設けられている。下部材１の接着部１３は、携帯情報端末Ｋに接着するための粘着剤からなる粘着層である。接着部１３は、実施の形態１では厚みのある両面テープからなる。接着部１３は、粘着シールや両面テープのほか、吸盤等、携帯情報端末に接着可能な部材で構成してもよい。
【００１７】
図５は、図１に示した携帯情報端末保持具１００のの構造を説明するための上部材と下部材それぞれの参考上面図である。図６は、図１に示した携帯情報端末保持具１００の構造を説明するための上部材と下部材それぞれの参考右側面図である。図７は、図１に示した携帯情報端末保持具１００の下部材の構造を説明するための下部材と接着部１３それぞれの参考底面図である。図８（ａ）は、図１に示した携帯情報端末保持具１００の右側面図であって、（ｂ）は、上部材をスライドさせた状態を示す右側面図である。
【００１８】
図５に示すように、携帯情報端末１００は、上部材２の下に下部材１が設けられているが、下部材１の上面、すなわち、上部材２と接する面には、ガイド部１１が設けられている。ガイド部１１は、下部材１の長手方向に沿って設けられた細長い長孔であって、中央近傍に、３か所、幅が狭くなっている係止部１２が設けられている。ガイド部１１は、長孔のほか、細長い溝としてもよい。ガイド部１１には、上部材２の位置調整具２１が係合しており、位置調整具２１は、ガイド部１１に沿って、移動可能となっている。ガイド部１１は、幅が狭くなっている係止部１２が複数設けられている。実施の形態１の携帯情報端末１００の下部材１のガイド部１１には、中央近傍に３か所の狭窄部１２が設けられているが、ガイド部１１の幅は、係止部１２が１ミリメートルから２ミリメートルの間であり、その他の部分は、係止部１２の２倍から３倍、すなわち、２ミリメートルから６ミリメートルの間である。係止部１２は、孔の幅が狭くなっていることによって係止する構造のほか、長孔の端に突起を設けて係止するようにした構造も用いることができる。
【００１９】
上部材１と下部材２が接する面であって、上部材を平らに伸ばした際に、ガイド部１１の先端にあたる部分には、ガイド部１１に係合する大きさの位置調整具２１が取り付けられている。位置調整具２１は、ガイド部１１の幅より大きな直径をもつキノコ形状の突起であり、ガイド部１１に係合したまま、ガイド部１１に沿って移動可能となっている。
【００２０】
下部材２の一端には、上部材１の取付具２２が嵌合して固定される切り欠き部１４が設けられている。切り欠き部１４は、上部材１の取付具２２が嵌合する切り欠きであり、図６に示すように、取付具２２を嵌めこんで固定可能である。下部材２と上部材１は、取付具２２と切り欠き部１４で固定するほか、金具その他の留め具を、下部材２と上部材１に貫通するように留めて固定してもよいし、シリコン素材を接着可能な接着剤等によって接着してもよい。
【００２１】
図７に示すように、下部材１は、上部材２と接する面とは反対面である底面に、接着部１３が貼付されている。下部材１の底面であって、ガイド部１１の周りには、横長楕円形状に、凹みがあり、凹部１５となっている。
【００２２】
図８（ａ）に示すように、携帯情報端末保持具１００は、右側面視、下部材１の上に上部材２が設けられており、平たく薄い形状であるが、上部材２は、シリコン素材等の弾性ある素材であって、一端である取付具２２部分を下部材１に固定されているので他端である位置調整具２１の上を指でスライドさせると、位置調整具２１がガイド部１１に沿って移動し、図８（ｂ）に示すように、上部材２が、アーチ形状となる。
【００２３】
図９は、図１に示した携帯情報端末保持具１００の下部材１の上面図である。図１０は、図１に示した携帯情報端末保持具１００の下部材１の接着部１３を除いた状態での底面図である。図１１（ａ）は、図１０に示した携帯情報端末保持具１００の下部材１の接着部１３を除いた状態でのＡ−Ａ断面図であって、（ｂ）は、Ｂ−Ｂ断面図であって、（ｃ）は、右側面図であって、（ｄ）は、Ｃ−Ｃ断面図である。図１２（ａ）は、図１に示した携帯情報端末保持具１００の下部材１の接着部１３の底面図であって、（ｂ）は、上面図である。図１３（ａ）は、図１に示した携帯情報端末保持具１００の上部材１をスライドさせた状態を示す斜視図であって、（ｂ）は、図１３（ａ）のＤ−Ｄ断面図である。
【００２４】
図９に示すように、下部材１は、上面視、上部材２と略同じ横長楕円形状であって、長手方向に、ガイド部１１が設けられている。下部材１は、プラスチック素材や樹脂等の、ある程度、硬度をもった素材からなる。
【００２５】
図１０に示すように、下部材１は、底面視、長手方向に、ガイド部１１が設けられ、かつ、ガイド部１１の周囲は、横長楕円形状に窪んでおり、凹部１５となっている。凹部１５は、上部材２の位置調整具１５が係合しスライドするために必要なスペースを確保する。
【００２６】
図１１（ａ）から（ｄ）に示すように、下部材１は、中央部分にガイド部１１が設けられている。また、下部材１は、断面視、凹部１５の部分は、他に比して薄くなっている。
【００２７】
図１２（ａ）に示すように、下部材１の底面に設けられている接着部１３は、下部材１に接する面とは反対の面の全面が粘着面１３ａとなっている。下部材１に接する面は、（ｂ）に示すように、中央部分に一部分、粘着層を有しない非粘着面部位１３ｂを有し、非粘着部位１３ｂ以外の部分は、粘着層を有する粘着面１３ａとなっている。
【００２８】
非粘着部位１３ｂは、下部材１に貼付した際、凹部１５に相当する部分に設けられている。下部材１の凹部１５と接着部１３の非粘着部位１３ｂとで、上部材２の位置調整具２１が係合してガイド部１１に沿って移動する際に必要なスペースを確保する。
【００２９】
図１３（ａ）及び（ｂ）に示すように、上部材２は、弾性を有する素材からなるので、指で位置調整具２１をスライドさせ移動させることで、好みの大きさのアーチを形成することができる。下部材１は、プラスチック素材その他の硬度を有する素材からなり、上部材２の位置を調節することで、上部材２と下部材１の間隙に、使用者の指を挿入するのに最適な空間を作成できる。また、上部材２を、所定の大きさのアーチにすることで、携帯情報端末１００を立てて置くことができる。携帯情報端末１００を、机などに置いて使用する際は、上部材２で形成するアーチの大きさを変えることで、立てたときに携帯情報端末１００が好みの角度になるように調節できる。
【００３０】
次に、図１４から図２１を示しながら、携帯情報端末保持具１００の使用方法について説明する。
【００３１】
図１４は、図１に示した携帯情報端末１００を、携帯情報端末（スマートフォン）に装着した状態を示す参考上面図である。図１５は、図１に示した携帯情報端末１００を、携帯情報端末（スマートフォン）に装着して上部材をスライドさせた状態を示す参考上面図である。図１６は、図１に示した携帯情報端末１００を、携帯情報端末（スマートフォン）に装着して上部材をスライドさせた状態を示す参考斜視図である。図１７は、図１に示した携帯情報端末１００の使用方法を説明するための参考斜視図である。
【００３２】
図１４に示すように、携帯情報端末保持具１００は、スマートフォンその他の携帯情報端末Ｋの裏面、すなわち、液晶画面が設けられた表面とは反対の面に装着する。携帯情報端末１００の下部材１には、携帯情報端末Ｋに装着するための接着部１３が設けられている、接着部１３は、粘着テープその他の粘着層からなり、上側に剥離紙等が貼付されている。携帯情報端末保持具１００を携帯情報端末Ｋに装着する際は、まず、接着部１３を覆う剥離紙を剥がして接着部１３の粘着層を露出させたうえで、携帯情報端末Ｋに接着させて装着する。
【００３３】
携帯情報端末保持具１００を携帯情報端末Ｋに装着した後、上部材２の先端に指をあてて、嵌合溝１１に沿ってスライドさせると、図１５に示すように、上部材２をアーチ形状にすることができる。携帯情報端末保持具１００は、横長の楕円形状であって、携帯情報端末Ｋの中央であって、携帯情報端末Ｋのレンズを塞がない場所に接着すると良い。携帯情報端末保持具１００の接着部１３は、両面テープ等を使用してもよいし、シール素材を取り付けてもよい。また、粘着層は、貼って剥がせる素材からなる粘着層にすることもできる。さらに、接着部１３は、粘着層ではなく、吸盤等の部材を取り付けて、携帯情報端末Ｋに吸盤で吸着させる形態としてもよい。
【００３４】
図１６に示すように、携帯情報端末保持具１００は、携帯情報端末Ｋに装着してもレンズＬを塞ぐことがなく、携帯情報端末保持具１００を装着したまま、カメラ機能を使用することもできる。また、携帯情報端末保持具１００を装着すると、図１７に示すように、机等の平らな面に携帯情報端末Ｋを立てておくこともできるので、携帯情報端末Ｋを手に持たず、カメラ機能で撮影することも可能となる。自撮りを行ったり、また、平らな面に立てた状態でセルフタイマー機能で撮影することも可能である。携帯情報端末Ｋを手に持って撮影するよりも、手ブレがなく、綺麗な写真を撮影することができる。
【００３５】
次に、図１８から図２１を示しながら、携帯情報端末保持具１００の使用方法について説明する。図１８から図２１は、図１に示した携帯情報端末１００の使用方法を説明するための参考斜視図である。
【００３６】
図１８に示すように、携帯情報端末保持具１００は、未使用時は、上部材２を伸ばした状態にしておく。上部材２を伸ばした状態にすると、薄くなるので、鞄や服のポケットに入れてもかさばらず、携帯しやすい。携帯情報端末保持具１００を使用する際は、まず、携帯情報端末Ｋの液晶画面が設けられた表面を、手で保持する。
【００３７】
次に、図１９に示すように、携帯情報端末保持具１００の上部材２を手で保持し、上部材２を指で引っ張るようにして、上部材２を嵌合溝１１に沿って移動させ、図２０に示すように、上部材２で、所定の大きさのアーチを作る。
【００３８】
好みの大きさのアーチが形成できたら、改めて、図２１に示すように、携帯情報端末保持具１００の上部材２で形成されたアーチに人指し指を挿入し、人差し指以外の指は、携帯情報端末Ｋをい支えるように持って、携帯情報端末Ｋを使用する。携帯情報端末保持具１００に人差し指を通したうえで、保持することで、携帯情報端末Ｋの使用時に、なんらかの衝撃が手にかかっても、携帯情報端末Ｋを取り落としにくい。また、手だけで保持する場合よりも、しっかりと、安定して携帯情報端末Ｋを保持することができる。
【００３９】
（実施の形態２）
次に、図２２から図４２を示しながら、携帯情報端末保持具２００について説明する。
【００４０】
図２２は、本考案の実施の形態２にかかる携帯情報端末保持具２００の斜視図である。図２３は、図２２に示した携帯情報端末保持具２００の右側面図である。図２４は、図２２に示した携帯情報端末保持具２００の上面図である。図２５は、図２２に示した携帯情報端末保持具２００の底面図である。
【００４１】
図２２に示すように、本考案の実施の形態２の形態情報端末保持具２００は、横長の楕円形状の上部材２の下側に、上部材２と略同じ形状の下部材１が設けられている。携帯情報端末２００を、側面から見ると、図２３に示すように、上部材２の下に下部材１が設けられ、下部材１の下には接着部１３が設けられている。下部材１の厚みは、上部材２と略同じか、すこし厚みがある。上部材１と下部材２は、どちらも、数ミリメートルの厚さであり、下部材２のほうが、上部材１よりも、すこし厚くなっている。上部材１と下部材２は、同じ厚さとしてもよい。右側面視、上部材１は、厚みが０．５ミリメートルから１．５ミリメートルの間であり、下部材２は、上部材１の厚みの１倍から２倍となっている。図２４に示すように、上部材２は、上から見ると、横長の楕円形状である。上部材２は、角の丸い長方形や、帯形状としても良い。上部材２はシリコン素材その他の弾性を有する素材からなる。
【００４２】
携帯情報端末保持具２００は、底面側から見ると、図２５に示すように下部材１の上に、接着部１３が設けられている。下部材１の接着部１３は、携帯情報端末Ｋに接着するための粘着剤からなる粘着層である。接着部１３は、実施の形態２では厚みのある両面テープからなる。接着部１３は、粘着シールや両面テープのほか、吸盤等、携帯情報端末に接着可能な部材で構成してもよい。
【００４３】
図２６は、図２２に示した携帯情報端末保持具２００のの構造を説明するための上部材と下部材それぞれの参考上面図である。図２７は、図２２に示した携帯情報端末保持具２００の構造を説明するための上部材と下部材それぞれの参考右側面図である。図２８は、図２２に示した携帯情報端末保持具２００の下部材の構造を説明するための下部材と接着部１３それぞれの参考底面図である。図２９（ａ）は、図２２に示した携帯情報端末保持具２００の右側面図であって、（ｂ）は、上部材をスライドさせた状態を示す右側面図である。
【００４４】
図２６に示すように、携帯情報端末保持具２００は、上部材２の下に下部材１が設けられているが、下部材１の上面、すなわち、上部材２と接する面には、ガイド部１１が設けられている。下部材１に設けられたガイド部１１の形状が携帯情報端末保持具２００とは異なる。下部材１に設けられた長孔からなるガイド部１１には、長孔の幅の狭くなっている係止部１２が、ガイド部１１の中央部分に３か所あるほか、ガイド部１１の先端部分、切り欠き部１４とは反対側の端に、もう1か所設けられている。この先端部分近傍の係止部１２によって、上部材２の位置調整具２１が、ガイド部１１の先端で固定できる。したがって、上部材２を、平らに伸ばした状態で、下部材１と、ぴったり重ねあわせた状態で、固定することができ、携帯情報端末保持具２００を、使用しないときは、スリムでコンパクトな状態にしておくことができる。
【００４５】
また、上部材１には、切り欠き部１４が設けられているが、実施形態１の携帯情報端末保持具１００の切り欠き部１４は、長手方向に沿った切り欠き部１４であったのに対し、携帯情報端末保持具２００の切り欠き部１４は、短手方向に沿って設けられている。携帯情報端末保持具２００の切り欠き部１４は、長手方向に対し垂直に設けられているため、上部材１と下部材２とを、しっかりと固定することができ、上部材１と下部材２を繰り返し開閉しても、取付具２２が外れにくい。
【００４６】
上部材１と下部材２が接する面であって、上部材１を平らに伸ばした際に、ガイド部１１の先端にあたる部分には、ガイド部１１に係合する大きさの位置調整具２１が取り付けられている。位置調整具２１は、ガイド部１１の幅より大きな直径をもつキノコ形状の突起であり、ガイド部１１に係合したまま、ガイド部１１に沿って移動可能となっている。
【００４７】
下部材２の一端には、上部材１の取付具２２が嵌合して固定される切り欠き部１４が設けられている。切り欠き部１４は、上部材１の取付具２２が嵌合する切り欠きであり、図２７に示すように、取付具２２を嵌めこんで固定可能である。下部材２と上部材１は、取付具２２と切り欠き部１４で固定するほか、金具その他の留め具を、下部材２と上部材１に貫通するように留めて固定してもよいし、シリコン素材を接着可能な接着剤等によって接着してもよい。
【００４８】
図２８に示すように、下部材１は、上部材２と接する面とは反対面である底面に、接着部１３が貼付されている。下部材１の底面であって、ガイド部１１の周りには、横長楕円形状に、凹みがあり、凹部１５となっている。
【００４９】
図２９（ａ）に示すように、携帯情報端末保持具２００は、右側面視、下部材１の上に上部材２が設けられており、平たく薄い形状であるが、上部材２は、シリコン素材等の弾性ある素材であって、一端である取付具２２部分を下部材１に固定されているので他端である位置調整具２１の上を指でスライドさせると、位置調整具２１がガイド部１１に沿って移動し、図２９（ｂ）に示すように、上部材２が、アーチ形状となる。
【００５０】
図３０は、図２２に示した携帯情報端末保持具２００の下部材１の上面図である。図３１は、図２２に示した携帯情報端末保持具２００の下部材１の接着部１３を除いた状態での底面図である。図３２（ａ）は、図１０に示した携帯情報端末保持具２００の下部材１の接着部１３を除いた状態でのＥ−Ｅ断面図であって、（ｂ）は、Ｆ−Ｆ断面図である。図３２（ｃ）は、右側面図であって、（ｄ）は、Ｇ−Ｇ断面図である。図３３（ａ）は、図２２に示した携帯情報端末保持具２００の下部材１の接着部１３の底面図であって、（ｂ）は、上面図である。図３４（ａ）は、図２２に示した携帯情報端末保持具２００の上部材１をスライドさせた状態を示す斜視図であって、（ｂ）は、図３４（ａ）のＨ−Ｈ断面図である。
【００５１】
図３０に示すように、下部材１は、上面視、上部材２と略同じ横長楕円形状であって、長手方向に、ガイド部１１が設けられている。下部材１は、プラスチック素材や樹脂等の、ある程度、硬度をもった素材からなる。
【００５２】
図３１に示すように、下部材１は、底面視、長手方向に、ガイド部１１が設けられ、かつ、ガイド部１１の周囲は、横長楕円形状に窪んでおり、凹部１５となっている。凹部１５は、上部材２の位置調整具１５が係合しスライドするために必要なスペースを確保する。
【００５３】
図３２（ａ）から（ｄ）に示すように、下部材１は、中央部分にガイド部１１が設けられている。また、下部材１は、断面視、凹部１５の部分は、他に比して薄くなっている。
【００５４】
図３３（ａ）に示すように、下部材１の底面に設けられている接着部１３は、下部材１に接する面とは反対の面の全面が粘着面１３ａとなっている。下部材１に接する面は、（ｂ）に示すように、中央部分に一部分、粘着層を有しない非粘着面部位１３ｂを有し、非粘着部位１３ｂ以外の部分は、粘着層を有する粘着面１３ａとなっている。
【００５５】
非粘着部位１３ｂは、下部材１に貼付した際、凹部１５に相当する部分に設けられている。下部材１の凹部１５と接着部１３の非粘着部位１３ｂとで、上部材２の位置調整具２１が係合してガイド部に沿って移動する際に必要なスペースを確保する。
【００５６】
図３４（ａ）及び（ｂ）に示すように、上部材２は、弾性を有する素材からなるので、指で位置調整具２１をスライドさせ移動させることで、好みの大きさのアーチを形成することができる。下部材１は、プラスチック素材その他の硬度を有する素材からなり、上部材２の位置を調節することで、上部材２と下部材１の間隙に、使用者の指を挿入するのに最適な空間を作成できる。また、上部材２を、所定の大きさのアーチにすることで、携帯情報端末２００を立てて置くことができる。携帯情報端末３００を、机などに置いて使用する際は、上部材２で形成するアーチの大きさを変えることで、立てたときに携帯情報端末３００が好みの角度になるように調節できる。
【００５７】
次に、図３５から図４２を示しながら、携帯情報端末保持具２００の使用方法について説明する。
【００５８】
図３５は、図２２に示した携帯情報端末保持具２００を、携帯情報端末（スマートフォン）に装着した状態を示す参考上面図である。図３６は、図２２に示した携帯情報端末２００を、携帯情報端末（スマートフォン）に装着して上部材をスライドさせた状態を示す参考上面図である。図３７は、図２２に示した携帯情報端末２００を、携帯情報端末（スマートフォン）に装着して上部材をスライドさせた状態を示す参考斜視図である。
【００５９】
図３５に示すように、携帯情報端末保持具２００は、スマートフォンその他の携帯情報端末Ｋの裏面、すなわち、液晶画面が設けられた表面とは反対の面に装着する。携帯情報端末２００の下部材１には、携帯情報端末Ｋに装着するための接着部１３が設けられている、接着部１３は、粘着テープその他の粘着層からなり、上側に剥離紙等が貼付されている。携帯情報端末保持具２００を携帯情報端末Ｋに装着する際は、まず、接着部１３を覆う剥離紙を剥がして接着部１３の粘着層を露出させたうえで、携帯情報端末Ｋに接着させて装着する。携帯情報端末保持具２００は、未使用時は、上部材２を伸ばした状態にしておく。実施の形態２の携帯情報端末保持具２００は、上部材２を伸ばした状態で、下部材１に固定でき、ぴったりと重なった状態になるので、全体にスリムな形状となり、薄いので、鞄や服のポケットに入れてもかさばらず、携帯しやすい。
【００６０】
携帯情報端末保持具２００を携帯情報端末Ｋに装着した後、上部材２の先端に指をあてて、嵌合溝１１に沿ってスライドさせると、図３６に示すように、上部材２をアーチ形状にすることができる。携帯情報端末保持具２００は、横長の楕円形状であって、携帯情報端末Ｋの中央であって、携帯情報端末Ｋのレンズを塞がない場所に接着すると良い。携帯情報端末保持具２００の接着部１３は、両面テープ等を使用してもよいし、シール素材を取り付けてもよい。また、粘着層は、貼って剥がせる素材からなる粘着層にすることもできる。さらに、接着部１３は、粘着層ではなく、吸盤等の部材を取り付けて、携帯情報端末Ｋに吸盤で吸着させる形態としてもよい。
【００６１】
図３７に示すように、携帯情報端末保持具２００は、携帯情報端末Ｋに装着してもレンズＬを塞ぐことがなく、携帯情報端末保持具２００を装着したまま、カメラ機能を使用することもできる。また、携帯情報端末保持具２００を装着すると、図１７に示すように、机等の平らな面に携帯情報端末Ｋを立てておくこともできるので、携帯情報端末Ｋを手に持たず、カメラ機能で撮影することも可能となる。自撮りを行ったり、また、平らな面に立てた状態でセルフタイマー機能で撮影することも可能である。携帯情報端末Ｋを手に持って撮影するよりも、手ブレがなく、綺麗な写真を撮影することができる。
【００６２】
次に、図３９から図４２を示しながら、携帯情報端末保持具２００の使用方法について説明する。図３９から図４２は、図２２に示した携帯情報端末２００の使用方法を説明するための参考斜視図である。
【００６３】
図３９に示すように、携帯情報端末保持具２００は、未使用時は、上部材２を伸ばした状態にしておく。上部材２を伸ばした状態にすると、薄くなるので、鞄や服のポケットに入れてもかさばらず、携帯しやすい。携帯情報端末保持具２００を使用する際は、まず、携帯情報端末Ｋの液晶画面が設けられた表面を、手で保持する。
【００６４】
次に、図４０に示すように、携帯情報端末保持具２００の上部材２を手で保持し、上部材２を指で引っ張るようにして、上部材２を嵌合溝１１に沿って移動させ、図４１に示すように、上部材２で、所定の大きさのアーチを作る。
【００６５】
好みの大きさのアーチが形成できたら、改めて、図４２に示すように、携帯情報端末保持具２０の上部材２で形成されたアーチに人指し指を挿入し、人差し指以外の指は、携帯情報端末Ｋをい支えるように持って、携帯情報端末Ｋを使用する。携帯情報端末保持具２００に人差し指を通したうえで、保持することで、携帯情報端末Ｋの使用時に、なんらかの衝撃が手にかかっても、携帯情報端末Ｋを取り落としにくい。また、手だけで保持する場合よりも、しっかりと、安定して携帯情報端末Ｋを保持することができる。
【符号の説明】
【００６６】
１００，２００  携帯情報端末保持具
１  下部材
１１  ガイド部
１２  係止部
１３  接着部
１３ａ  粘着面
１３ｂ  非粘着部位
１４  切り欠き部
１５  凹部
２  上部材
２１  位置調整具
２２  取付具
Ｋ  携帯情報端末
Ｌ  レンズ
Ｈ  手
【図１】
0003210687.tif 000003
【図２】
0003210687.tif 000004
【図３】
0003210687.tif 000005
【図４】
0003210687.tif 000006
【図５】
0003210687.tif 000007
【図６】
0003210687.tif 000008
【図７】
0003210687.tif 000009
【図８】
0003210687.tif 000010
【図９】
0003210687.tif 000011
【図１０】
0003210687.tif 000012
【図１１】
0003210687.tif 000013
【図１２】
0003210687.tif 000014
【図１３】
0003210687.tif 000015
【図１４】
0003210687.tif 000016
【図１５】
0003210687.tif 000017
【図１６】
0003210687.tif 000018
【図１７】
0003210687.tif 000019
【図１８】
0003210687.tif 000020
【図１９】
0003210687.tif 000021
【図２０】
0003210687.tif 000022
【図２１】
0003210687.tif 000023
【図２２】
0003210687.tif 000024
【図２３】
0003210687.tif 000025
【図２４】
0003210687.tif 000026
【図２５】
0003210687.tif 000027
【図２６】
0003210687.tif 000028
【図２７】
0003210687.tif 000029
【図２８】
0003210687.tif 000030
【図２９】
0003210687.tif 000031
【図３０】
0003210687.tif 000032
【図３１】
0003210687.tif 000033
【図３２】
0003210687.tif 000034
【図３３】
0003210687.tif 000035
【図３４】
0003210687.tif 000036
【図３５】
0003210687.tif 000037
【図３６】
0003210687.tif 000038
【図３７】
0003210687.tif 000039
【図３８】
0003210687.tif 000040
【図３９】
0003210687.tif 000041
【図４０】
0003210687.tif 000042
【図４１】
0003210687.tif 000043
【図４２】
0003210687.tif 000044